(57)【要約】【課題】作業者に不快感や不安感を与えることがない最適な照度を実現することができる照明装置及び照明システムを提供する。【解決手段】制御用マイコン２２は、照度センサ４３で検出した周囲照度Ｌａを用いて、照度比Ｔ／Ａを算出する。照度比Ｔ／Ａは、その値が照明環境の不均一さを表わす。Ａはアンビエント照明から得られる机上面照度であり、Ｔはアンビエント照明装置２００及びタスク照明装置１００から得られる机上面照度の合計である。制御用マイコン２２は、算出した照度比が所定の許容限度値以下となるように周囲照度の目標値を算出し、照度センサ４３で検出する周囲照度Ｌａが算出した目標値となるように調光用信号を信号送信回路２６へ出力する。【選択図】図２
2010267594.tif 000002
【特許請求の範囲】
【請求項１】
任意の照射面を照射するための光源と、調光可能な他の照明装置により得られるその周囲の照度を検出する照度センサとを備える照明装置において、
前記照度センサで検出した周囲照度に対する前記照射面の照度の照度比を算出する照度比算出部と、
該照度比算出部で算出した照度比が所定値以下となるように周囲照度の目標値を算出する目標照度算出部と、
前記照度センサで検出する周囲照度が前記目標値となるように所定の信号を前記他の照明装置へ出力する出力部と
を備えることを特徴とする照明装置。
【請求項２】
前記所定値は、
前記周囲照度を上げる場合に、作業者が許容できない状態から許容できる状態になるときの前記照度比の第１上限値を含み、
前記目標照度算出部は、
前記照度比算出部で算出した照度比が、前記第１上限値以下となるように周囲照度の目標値を算出するように構成してあることを特徴とする請求項１に記載の照明装置。
【請求項３】
前記所定値は、
前記周囲照度を上げる場合に、所定の作業性が得られるときの前記照度比の第２上限値を含み、
前記目標照度算出部は、
前記照度比算出部で算出した照度比が、前記第１上限値又は第２上限値のいずれか小さい値以下となるように周囲照度の目標値を算出するように構成してあることを特徴とする請求項２に記載の照明装置
【請求項４】
前記出力部は、
前記照度比が前記第１上限値又は第２上限値のいずれか小さい値以下となるように、周囲照度を下げるべく前記信号を出力するように構成してあることを特徴とする請求項２又は請求項３に記載の照明装置。
【請求項５】
前記出力部は、
時間経過とともに所定の割合で周囲照度を下げるべく前記信号を出力するように構成してあることを特徴とする請求項４に記載の照明装置。
【請求項６】
前記所定値は、
前記周囲照度を下げる場合に、作業者が許容できる状態から許容できない状態になるときの前記照度比の第３上限値を含み、
前記目標照度算出部は、
前記照度比算出部で算出した照度比が前記第３上限値になるように周囲照度の目標値を算出するように構成してあり、
前記出力部は、
前記光源の点灯時に、前記照度比が前記第３上限値になるように、前記信号を出力するように構成してあることを特徴とする請求項１から請求項５までのいずれか１項に記載の照明装置。
【請求項７】
前記出力部は、
時間経過とともに所定の割合で前記照度比が前記第３上限値になるように、前記信号を出力するように構成してあることを特徴とする請求項６に記載の照明装置。
【請求項８】
前記光源の光量を制御する光源制御部を備え、
該光源制御部は、
前記照射面の照度が一定になるように前記光源の光量を制御するように構成してあることを特徴とする請求項１から請求項７までのいずれか１項に記載の照明装置。
【請求項９】
前記照射面の照度を設定する設定部と、
該設定部で設定された照度に応じて前記所定値を算出する所定値算出部と
を備えることを特徴とする請求項１から請求項８までのいずれか１項に記載の照明装置。
【請求項１０】
請求項１から請求項９までのいずれか１項に記載の照明装置と、調光可能な他の照明装置とを備える照明システムにおいて、
前記他の照明装置は、
前記照明装置が出力する所定の信号に応じて、調光するように構成してあることを特徴とする照明システム。
【発明の詳細な説明】
【技術分野】
【０００１】
本発明は、最適な照度を提供することができる照明装置及び照明システムに関する。
【背景技術】
【０００２】
近年、オフィス等の照明方法として、適切な照度を提供することや省エネルギー化を目的として、天井等に取り付けられ室内空間全体を照明することができる照明装置（例えば、アンビエント照明装置）と、例えば、机上面などの作業面を局所的に照明することができる照明装置（例えば、タスク照明装置）とを組み合わせた照明方法が提案されている。
【０００３】
例えば、遠隔操作を活用し、電気スタンドと天井灯といった複数の照明装置の連動動作を行うことにより、不要な照明を消灯して省電力を推進するとともに適切な照度が得られる照明システムが開示されている（特許文献１参照）。
【先行技術文献】
【特許文献】
【０００４】
【特許文献１】特開２００２−１５８７７号公報
【発明の概要】
【発明が解決しようとする課題】
【０００５】
特許文献１の照明システムでは、天井灯を消灯又は５０％調光して省電力を推進しているが、電気スタンドなどの局所照明（タスク照明）と天井灯などの全体照明（アンビエント照明）との照度比を考慮していないため、例えば、天井灯を消灯した場合や天井灯の明るさを下げた場合には、作業者に不快感や不安感を与えるおそれがあった。
【０００６】
本発明は斯かる事情に鑑みてなされたものであり、作業者に不快感や不安感を与えることがない最適な照度を実現することができる照明装置及び照明システムを提供することを目的とする。
【課題を解決するための手段】
【０００７】
本発明に係る照明装置は、任意の照射面を照射するための光源と、調光可能な他の照明装置により得られるその周囲の照度を検出する照度センサとを備える照明装置において、前記照度センサで検出した周囲照度に対する前記照射面の照度の照度比を算出する照度比算出部と、該照度比算出部で算出した照度比が所定値以下となるように周囲照度の目標値を算出する目標照度算出部と、前記照度センサで検出する周囲照度が前記目標値となるように所定の信号を前記他の照明装置へ出力する出力部とを備えることを特徴とする。
【０００８】
本発明にあっては、照度センサで検出した周囲照度に対する照射面の照度の照度比を算出し、算出した照度比が所定値以下となるように周囲照度の目標値を算出する。そして、照度センサで検出する周囲照度が算出した目標値となるように所定の信号（例えば、調光用の信号）を他の照明装置へ出力する。照射面を照射するための光源を備える本発明の照明装置は、照射面を局所的に照明することができるタスク照明装置である。また、他の照明装置は、例えば、室内空間全体を照明することができるアンビエント照明装置であり、照射面も照明する。光源の光により得られる照射面での照度をＬｔ、他の照明装置により得られる周囲照度をＬａとすると、照射面の照度は、光源と他の照明装置により得られる照度の合計（Ｌｔ＋Ｌａ）となる。照度比Ｔ／Ａは、（Ｌｔ＋Ｌａ）／Ｌａで表わすことができる。また、所定値は、例えば、作業者に不安感や不快感を与えることがなく、許容できる照度比の値である。照度比が所定値以下となる周囲照度になるように他の照明装置に対して所定の信号を出力する。これにより、作業者に不安感や不快感を与えることがない最適な照度を実現することができる。
【０００９】
本発明に係る照明装置は、前記所定値は、前記周囲照度を上げる場合に、作業者が許容できない状態から許容できる状態になるときの前記照度比の第１上限値を含み、前記目標照度算出部は、前記照度比算出部で算出した照度比が、前記第１上限値以下となるように周囲照度の目標値を算出するように構成してあることを特徴とする。
【００１０】
本発明にあっては、所定値は、周囲照度を上げる場合に、作業者が許容できない状態から許容できる状態になるときの照度比の第１上限値を含む。周囲照度を上げる場合とは、例えば、周囲が暗い状態で光源を点灯し、周囲照度を上げる場合をいう。周囲が暗い状態とは、例えば、他の照明装置（アンビエント照明装置）を消灯した状態である。この状態で光源を点灯したときは、周囲照度Ｌａが０であるため照度比Ｔ／Ａは無限大となり、光源点灯時の初期環境は、いわゆるタスク照明装置のみで照射面照度を確保した不均一な場合である。周囲照度を上げて照度比を無限大から小さくする場合に、作業者が不安感や不快感などを感じる状態である許容できない状態から、不安感や不快感などを感じなくなる許容できる状態になる照度比を第１上限値（危険側Ｔ／Ａ）とする。そして、照度比が第１上限値以下となるように周囲照度の目標値を算出する。これにより、作業者に不安感や不快感を与えることなく周囲照度を下げる（照度比を大きくする）ことができ、最適な照度を確保しつつ省電力を図ることが可能となる。
【００１１】
本発明に係る照明装置は、前記所定値は、前記周囲照度を上げる場合に、所定の作業性が得られるときの前記照度比の第２上限値を含み、前記目標照度算出部は、前記照度比算出部で算出した照度比が、前記第１上限値又は第２上限値のいずれか小さい値以下となるように周囲照度の目標値を算出するように構成してあることを特徴とする。
【００１２】
本発明にあっては、所定値は、周囲照度を上げる場合に、所定の作業性が得られるときの照度比の第２上限値を含む。周囲照度を上げる場合とは、例えば、周囲が暗い状態で光源を点灯し、周囲照度を上げる場合をいう。周囲が暗い状態とは、例えば、他の照明装置（アンビエント照明装置）を消灯した状態である。この状態で光源を点灯したときは、周囲照度Ｌａが０であるため照度比Ｔ／Ａは無限大となり、光源点灯時の初期環境は、いわゆるタスク照明装置のみで照射面照度を確保した不均一な場合である。所定の作業性は、例えば、周囲が明るい場合、例えば、他の照明装置（アンビエント照明装置）のみで照射面の照度を確保した均一な（均一照明）場合において保証される作業量とすることができる。すなわち、第２上限値（作業性確保Ｔ／Ａ）は、いわゆるタスク照明装置のみで照射面照度を確保した不均一な状態から、周囲照度を上げて照度比を無限大から小さくする場合に、均一な照明下での作業性と同等の作業性を確保することができる状態になる照度比である。そして、照度比が第１上限値又は第２上限値のいずれか小さい値以下となるように周囲照度の目標値を算出する。これにより、作業者に不安感や不快感を与えることなく、かつ作業者の作業性を低下させることなく、周囲照度を下げる（照度比を大きくする）ことができ、最適な照度の確保と作業性の確保の両立を図りつつ省電力も図ることが可能となる。
【００１３】
本発明に係る照明装置は、前記出力部は、前記照度比が前記第１上限値又は第２上限値のいずれか小さい値以下となるように、周囲照度を下げるべく前記信号を出力するように構成してあることを特徴とする。
【００１４】
本発明にあっては、出力部は、照度比が第１上限値又は第２上限値のいずれか小さい値以下となるように、周囲照度を下げるべく所定の信号を出力する。これにより、作業者に不安感や不快感を与えることなく、かつ作業者の作業性を低下させることなく、周囲照度を下げる（照度比を大きくする）ことができ、最適な照度の確保と作業性の確保の両立を図りつつ省電力も図ることが可能となる。
【００１５】
本発明に係る照明装置は、前記出力部は、時間経過とともに所定の割合で周囲照度を下げるべく前記信号を出力するように構成してあることを特徴とする。
【００１６】
本発明にあっては、出力部は、時間経過とともに所定の割合で周囲照度を下げるべく所定の信号を出力する。所定の割合は、例えば、１分当たり１０（ｌｘ）のように遅い割合とすることができる。この場合には、作業者に周囲の照度変化を気付かせることなく周囲照度を下げることができる。また、所定の割合を、例えば、１秒当たり１（ｌｘ）のように速い割合とすることもできる。この場合には、作業者にあえて最適な照度への調整が行われていることを認知させることができる。
【００１７】
本発明に係る照明装置は、前記所定値は、前記周囲照度を下げる場合に、作業者が許容できる状態から許容できない状態になるときの前記照度比の第３上限値を含み、前記目標照度算出部は、前記照度比算出部で算出した照度比が前記第３上限値になるように周囲照度の目標値を算出するように構成してあり、前記出力部は、前記光源の点灯時に、前記照度比が前記第３上限値になるように、前記信号を出力するように構成してあることを特徴とする。
【００１８】
本発明にあっては、所定値は、周囲照度を下げる場合に、作業者が許容できる状態から許容できない状態になるときの照度比の第３上限値を含む。周囲照度を下げる場合とは、例えば、周囲が明るい状態で光源を点灯し、周囲照度を下げる場合をいう。周囲が明るい状態とは、例えば、他の照明装置（アンビエント照明装置）のみを点灯した状態であり、他の照明装置（アンビエント照明装置）のみで照射面の照度を確保した均一な（均一照明）場合である。この状態では、光源の光により得られる照射面での照度Ｌｔが０であるため、光源を点灯する前は、照度比Ｔ／Ａは１である。光源を点灯させて周囲照度を下げることにより、照度比Ｔ／Ａは１から大きくなり、作業者が不安感や不快感などを感じない状態である許容できる状態から、不安感や不快感などを感じる状態である許容できない状態になる照度比を第３上限値（安全側Ｔ／Ａ）とする。そして、照度比が第３上限値になるように周囲照度の目標値を算出し、出力部は、光源の点灯時に、照度比が第３上限値になるように所定の信号を出力する。これにより、照射面の照度がアンビエント照明装置により確保されている状態でタスク照明装置の光源を点灯させる点灯初期状態においても、作業者に不安感や不快感を与えることがない最適な照度を確保することができる。
【００１９】
本発明に係る照明装置は、前記出力部は、時間経過とともに所定の割合で前記照度比が前記第３上限値になるように、前記信号を出力するように構成してあることを特徴とする。
【００２０】
本発明にあっては、出力部は、時間経過とともに所定の割合で照度比が第３上限値になるように所定の信号を出力する。所定の割合は、光源を点灯した後、例えば、１分当たり１０（ｌｘ）のように遅い割合とすることができる。この場合には、作業者に周囲の照度変化を気付かせることなく周囲照度を変えることができる。また、所定の割合を、例えば、１秒当たり１（ｌｘ）のように速い割合とすることもできる。この場合には、作業者にあえて最適な照度への調整が行われていることを認知させることができる。
【００２１】
本発明に係る照明装置は、前記光源の光量を制御する光源制御部を備え、該光源制御部は、前記照射面の照度が一定になるように前記光源の光量を制御するように構成してあることを特徴とする。
【００２２】
本発明にあっては、光源制御部は、照射面の照度が一定になるように光源の光量を制御する。すなわち、許容限度値以下となるように照度比を変化させる場合に、照射面の照度が一定になるように光源の光量を制御して、光源により得られる照射面での照度Ｌｔを調整する。これにより、照射面の照度を常に一定に維持することができる。
【００２３】
本発明に係る照明装置は、前記照射面の照度を設定する設定部と、該設定部で設定された照度に応じて前記所定値を算出する所定値算出部とを備えることを特徴とする。
【００２４】
本発明にあっては、照射面の照度を設定する設定部で設定された照度に応じて所定値を算出する。これにより、作業者が所要の照度を設定した場合でも所定値を算出することができ、照射面の照度に関わらず、作業者に不安感や不快感を与えることがない最適な照度を実現することができる。
【００２５】
本発明に係る照明システムは、前述の発明のいずれか１つに係る照明装置と、調光可能な他の照明装置とを備える照明システムにおいて、前記他の照明装置は、前記照明装置が出力する所定の信号に応じて、調光するように構成してあることを特徴とする。
【００２６】
本発明にあっては、他の照明装置は、照明装置が出力する所定の信号に応じて、調光する。すなわち、タスク照明装置から出力される調光用信号をアンビエント照明装置で取得し、周囲照度を調整することができ、作業者に不安感や不快感を与えることがない最適な照度を実現することができる。
【発明の効果】
【００２７】
本発明によれば、作業者に不安感や不快感を与えることがない最適な照度を実現することができる。
【図面の簡単な説明】
【００２８】
【図１】本発明に係る照明システムの構成の概要を示す概念図である。
【図２】本発明に係るタスク照明装置及びアンビエント照明装置の構成の一例を示すブロック図である。
【図３】印象評価項目の一例を示す説明図である。
【図４】許容されるＴ／Ａの割合を示す説明図である。
【図５】許容されるＴ／Ａの割合を示す説明図である。
【図６】許容されるＴ／Ａの割合を示す説明図である。
【図７】机上照度と許容される照度比Ｔ／Ａとの関係を示す説明図である。
【図８】机上照度と許容される照度比Ｔ／Ａの数値例を示す説明図である。
【図９】調光自動制御の処理手順の一例を示すフローチャートである。
【図１０】最適出力照度算出の処理手順を示すフローチャートである。
【図１１】調光自動制御の様子を示すタイムチャートである。
【図１２】調光時の照度の推移の一例を示すタイムチャートである。
【図１３】調光自動制御の処理手順の他の例を示すフローチャートである。
【図１４】調光自動制御の処理手順の他の例を示すフローチャートである。
【図１５】調光時の照度の推移の他の例を示すタイムチャートである。
【図１６】タスクライト照度を変更した場合の調光の一例を示す説明図である。
【図１７】タスクライト照度を変更した場合の調光自動制御の処理手順の一例を示すフローチャートである。
【図１８】タスクライト照度を変更した場合の調光自動制御の処理手順の一例を示すフローチャートである。
【図１９】タスクライト照度を変更した場合の照度の推移の例を示すタイムチャートである。
【発明を実施するための形態】
【００２９】
以下、本発明をその実施の形態を示す図面に基づいて説明する。図１は本発明に係る照明システムの構成の概要を示す概念図である。図１に示すように、本発明に係る照明システムは、本発明に係る照明装置としてのタスク照明装置１００、調光可能な他の照明装置としてのアンビエント照明装置２００などを備えている。図１の例では、タスク照明装置１００は、スタンドライトや電気スタンド等である。また、アンビエント照明装置２００は、例えば、シーリングライトや天井灯等である。
【００３０】
図１に示すように、室内の天井には室内全体を照明するアンビエント照明装置２００（例えば、シーリングライト）が設置され、机上には照射面としての作業面（机上面）を局所照明するタスク照明装置１００（例えば、スタンドライト）が設置されている。作業者は、室内全体をアンビエント照明装置２００によって照明するとともに、タスク照明装置１００により手元の机上面を照明する。すなわち、机上面の照度は、アンビエント照明装置２００とタスク照明装置１００とにより得られる。これにより、作業を行うのに必要な照度を確保する。
【００３１】
アンビエント照明装置２００は、例えば、ドーム形状のカバー２０１内部に光源として発光ダイオード（ＬＥＤモジュール）を備えている。カバー２０１は、例えば、ポリカーボネートからなる乳白色の拡散部であり、ＬＥＤモジュールから出射された光を拡散することによって、机上面を含む室内全体を照明することができる。
【００３２】
タスク照明装置１００は、照明装置全体を机上に設置するための設置部２、光源を備える照明部３０、照明部３０を設置部２に取り付けて支持する支持部４など備えている。照明部３０は、例えば、略長方体形状であり、その内部には、複数のＬＥＤを基板に実装して構成される光源としてのＬＥＤモジュールが設けられている。
【００３３】
以下の説明では、タスク照明装置１００に内蔵したＬＥＤモジュールを点灯することにより得られる机上面での照度をタスクライト照度Ｌｔとする。
【００３４】
照明部３０の天井と対向する側には、周囲照度を検出するための照度センサ４３を設けている。照度センサ４３は、アンビエント照明装置２００からの光により得られる照度を検出することができる。照度センサ４３の位置が机上面からそれほど離れていないので、照度センサ４３で検出することができる周囲照度は、アンビエント照明装置２００からの光により得られる机上面の照度とすることができる。なお、アンビエント照明装置２００からの光により得られる机上面の照度と検出する照度との間に誤差が生じる場合には、予め誤差を補正することにより、照度センサ４３で検出する周囲照度を机上面の照度とすることもできる。なお、照度センサ４３の取り付ける位置は、照明部３０に限定されるものではなく、例えば、支持部４に設けることもできる。
【００３５】
以下の説明では、アンビエント照明装置２００に内蔵したＬＥＤモジュールを点灯することにより得られる机上面での照度（照度センサ４３で検出する照度）を周囲照度Ｌａとする。
【００３６】
設置部２には、作業者がタスク照明装置１００に対する電源のオン／オフ等の操作を行うための操作スイッチ４２（以下スイッチをＳＷと記す）を設けている。また、設置部２の内部には、後述する電源回路、制御部などが収容されている。
【００３７】
図２は本発明に係るタスク照明装置１００及びアンビエント照明装置２００の構成の一例を示すブロック図である。タスク照明装置１００は、外部から交流電圧の供給を受けて直流電圧に変換する電源回路１０、制御部２０、照明部３０、インタフェース部４０などを備えている。また、制御部２０は、制御電源供給回路２１、照度比算出部、目標照度算出部、設定部及び許容限度値算出部としての制御用マイコン２２、光源制御部としてのＰＷＭ制御ＦＥＴスイッチ２３、ＳＷ入力部２４、センサ入力部２５、信号送信回路２６、出力部としての信号出力部２７などを備えている。照明部３０は、光源としてのＬＥＤモジュール３１を備えている。また、インタフェース部４０は、赤外線発光部４１、作業者の操作を受け付ける操作ＳＷ４２、周囲照度Ｌａを検出する照度センサ４３などを備えている。
【００３８】
制御電源供給回路２１は、電源回路１０から供給される直流電圧を変圧して制御用マイコン２２に所要の電圧を供給する。
【００３９】
ＰＷＭ制御ＦＥＴスイッチ２３は、制御用マイコン２２の出力に応じてＬＥＤモジュール３１をＰＷＭ（Pulse Width Modulation）制御することにより、ＬＥＤモジュール３１の発光量を調整する。これにより、ＬＥＤモジュール３１で照射される机上面の照度を調整することができる。
【００４０】
ＳＷ入力部２４は、操作ＳＷ４２での作業者の操作に応じた操作信号を制御用マイコン２２に出力する。ＳＷ入力部２４は、例えば、タスク照明装置１００の電源のオン／オフ信号、机上面の机上照度を設定する設定信号などを出力する。
【００４１】
センサ入力部２５は、照度センサ４３で検出した照度に応じた照度センサ入力信号を制御用マイコン２２へ出力する。
【００４２】
信号送信回路２６は、アンビエント照明装置２００を調光するための調光用信号を制御用マイコン２２から受け取ると、受け取った調光用信号を信号出力部２７へ出力する。信号出力部２７は、赤外線発光部４１を通じて調光用信号をアンビエント照明装置２００へ送信する。なお、タスク照明装置１００とアンビエント照明装置２００との間の通信は、赤外線通信に限定されるものではなく、無線ＬＡＮや有線通信でもよい。
【００４３】
制御用マイコン２２は、照度センサ４３で検出した周囲照度Ｌａを用いて、照度比Ｔ／Ａを算出する。照度比Ｔ／Ａは、その値が照明環境の不均一さを表わす。Ａはアンビエント照明から得られる作業面照度（机上面照度）であり、Ｔはアンビエント照明（アンビエント照明装置２００）及びタスク照明（タスク照明装置１００）から得られる作業面照度（机上面照度）の合計である。すなわち、照度比Ｔ／Ａが１のときは照明環境が均一照明であることを示し、その値が大きいほど照明環境が不均一であることを示す。具体的には、照度比Ｔ／ＡはＴ／Ａ＝（Ｌｔ＋Ｌａ）／Ｌａで表わすことができる。ここで、Ｌａは照度センサ４３で検出した周囲照度であり、Ｌｔはタスク照明装置１００からの光により得られる机上面の照度（タスクライト照度）である。なお、タスクライト照度Ｌｔは、ＬＥＤモジュール３１の発光量に応じて予め定めておくことができる。
【００４４】
制御用マイコン２２は、算出した照度比が所定値としての許容限度値以下となるように周囲照度の目標値を算出し、照度センサ４３で検出する周囲照度Ｌａが算出した目標値となるように所定の信号としての調光用信号を信号送信回路２６へ出力する。許容限度値は、例えば、作業者に不安感や不快感を与えることがなく、許容できる照度比の値である。照度比が許容限度値以下となる周囲照度Ｌａになるようにアンビエント照明装置２００に対して調光用信号を出力するので、作業者に不安感や不快感を与えることがない最適な照度を実現することができる。なお、許容限度値の詳細は後述する。
【００４５】
一方、アンビエント照明装置２００は、電源回路２１０、制御部２２０、照明部２３０、インタフェース部２４０などを備えている。制御部２２０は、制御電源供給回路２２１、制御用マイコン２２２、ＰＷＭ制御ＦＥＴスイッチ２２３、信号受信回路２２４、信号受信部２２５などを備えている。また、照明部２３０は、ＬＥＤモジュール２３１を備え、インタフェース部２４０は、赤外線受光部２４１を備えている。
【００４６】
制御用マイコン２２２は、赤外線受光部２４１で受信した調光用信号に基づいて、ＰＷＭ制御ＦＥＴスイッチ２２３を制御する。これにより、ＬＥＤモジュール２３１から周囲照度Ｌａが目標値になるように光量が調光される。なお、図２の例では、赤外線受光部２４１をアンビエント照明装置２００に内蔵する構成であるが、これに限定されるものではなく、アンビエント照明装置２００の調光機能を外部に設け、外部に設けられた箇所に調光用信号を送信する構成でもよい。例えば、複数のアンビエント照明装置を１つの調光回路で制御するような場合には、該調光回路に対して調光用信号を送信することにより、複数のアンビエント照明装置を同時に調光することができる。
【００４７】
次に、照度比の許容限度値（所定値）について説明する。許容限度値は、作業者にとって照明環境が許容できるか否かの照明状態を特定するものであり、いくつかの照明環境下で被験者が所定の作業を行ったときの主観評価を用いて定めることができる。
【００４８】
実験室にアンビエント照明装置とタスク照明装置を設け、作業面（机上面）の照度を３００ｌｘ、５００ｌｘ、７５０ｌｘとして実験を行う。なお、作業面の大きさは７０ｃｍ×１５０ｃｍとした。測定項目は、作業性項目として抹消作業、主観評価として印象評価、疲労レベル（５段階尺度）を用いた。なお、抹消作業は、縦２９個横３３個にランダムに並んだランドル環の中から、指定した方向のランドル環を１分間にできるだけ多くチェックする作業である。
【００４９】
図３は印象評価項目の一例を示す説明図である。実験手順は、２分間初期環境に順応した後、許容できる（不快感や不安感がなく快適に視作業が行える範囲の）照明状態になるように、被験者自身がアンビエント照明装置によるアンビエント照明を調光する。この場合、タスク照明装置を自動制御して作業面の照度は常に一定にする。アンビエント照明を調光後に、主観評価、抹消作業、主観評価の順で測定を行う。初期環境は、タスク照明装置（タスク照明）のみで作業面照度を確保した不均一な場合（照度比Ｔ／Ａが無限大の場合）と、アンビエント照明装置（アンビエント照明）のみで作業面照度を確保した均一な場合（照度比Ｔ／Ａが１の場合）の２通りである。
【００５０】
図４、図５及び図６は許容されるＴ／Ａの割合を示す説明図である。図４は作業面の照度を３００ｌｘにした場合であり、図５は作業面の照度を５００ｌｘにした場合であり、図６は作業面の照度を７５０ｌｘにした場合である。図４〜図６において、横軸は許容されるＴ／Ａを示し、縦軸はその累積割合を示す。Ｔ／Ａの値が小さくなるにつれて、許容される割合が大きくなり、Ｔ／Ａ＝１では１００％となる。また、図中実線は初期環境が不均一の場合を示し、破線は初期環境が均一の場合を示し、太線は両者の平均を示す。
【００５１】
初期環境が不均一の場合は、アンビエント照明装置を消灯しておき、すなわち、周囲が暗い状態で、タスク照明装置を点灯し、その後アンビエント照明装置を調光状態で点灯させて徐々に調光率を上げて（明るくして）、周囲照度Ｌａを上げて照度比Ｔ／Ａを小さくする。タスク照明装置を点灯させた状態ではアンビエント照明装置は消灯しているので、周囲照度Ｌａが０であるため照度比Ｔ／Ａは無限大となる。周囲照度Ｌａを上げて照度比Ｔ／Ａを無限大から小さくする場合に、作業者が不安感や不快感などを感じる状態である許容できない状態から、不安感や不快感などを感じなくなる許容できる状態になる照度比Ｔ／Ａを危険側Ｔ／Ａと称する。危険側Ｔ／Ａは照度比Ｔ／Ａの第１上限値である。そして、照度比Ｔ／Ａが危険側Ｔ／Ａ以下となるように周囲照度Ｌａの目標値を算出することにより、作業者に不安感や不快感を与えることなく周囲照度を下げる（照度比Ｔ／Ａを大きくする）ことができ、最適な照度を確保しつつ省電力を図ることが可能となる。
【００５２】
また、初期環境が均一の場合は、アンビエント照明装置を点灯しておき、すなわち、周囲が明るい状態で、タスク照明装置を点灯し、その後アンビエント照明装置の調光率を下げて（暗くして）、周囲照度Ｌａを下げて照度比Ｔ／Ａを大きくする。この場合は、アンビエント照明装置のみを点灯した状態であり、アンビエント照明装置のみで作業面の照度を確保した均一照明の場合である。この状態では、タスク照明装置により得られる作業面での照度Ｌｔが０であるため、タスク照明装置を点灯する前は、照度比Ｔ／Ａは１である。タスク照明装置を点灯させて周囲照度Ｌａを下げることにより、照度比Ｔ／Ａは１から大きくなり、作業者が不安感や不快感などを感じない状態である許容できる状態から、不安感や不快感などを感じる状態である許容できない状態になる照度比Ｔ／Ａを安全側Ｔ／Ａと称する。安全側Ｔ／Ａは照度比Ｔ／Ａの第３上限値である。そして、照度比Ｔ／Ａが安全側Ｔ／Ａになるように周囲照度Ｌａの目標値を算出することにより、作業面の照度がアンビエント照明装置により確保されている状態でタスク照明装置を点灯させる点灯初期状態においても、作業者に不安感や不快感を与えることがない最適な照度を確保することができる。
【００５３】
図４〜図６から、作業面照度が大きいほど許容される照度比Ｔ／Ａが大きい。また、初期環境が不均一な（周囲が暗い）場合には、照度比Ｔ／Ａを大きくしても作業者に許容されやすく、初期環境が均一な（周囲が明るい）場合には、照度比Ｔ／Ａを小さくしないと作業者に許容されないことがわかる。すなわち、初期環境の不均一な場合の方が初期環境の均一な場合よりも許容される照度比Ｔ／Ａが大きい。
【００５４】
また、上述の許容される照度比Ｔ／Ａに、さらに作業者の作業性（作業効率）を考慮した作業性確保Ｔ／Ａを定めることもできる。作業性確保Ｔ／Ａは、周囲が暗い状態でタスク照明装置を点灯し、周囲照度Ｌａを上げて照度比Ｔ／Ａを小さくする場合に、周囲が明るい場合の所定の作業性と同等の作業性（所定の作業性）が得られる照度比Ｔ／Ａである。周囲が暗い状態とは、例えば、アンビエント照明装置を消灯した状態である。この状態でタスク照明装置を点灯したときは、周囲照度Ｌａが０であるため照度比Ｔ／Ａは無限大となり、タスク照明装置点灯時の初期環境は、いわゆるタスク照明装置のみで作業面照度を確保した不均一な場合である。また、周囲が明るい場合とは、例えば、アンビエント照明装置のみで作業面の照度を確保した均一な（均一照明）場合である。所定の作業性は、例えば、均一照明で保証される作業量とすることができ、同等の作業性とは、作業量の低下が認められない場合という。
【００５５】
すなわち、作業性確保Ｔ／Ａは、いわゆるタスク照明装置のみで作業面照度を確保した不均一な状態から、周囲照度Ｌａを上げて照度比Ｔ／Ａを無限大から小さくする場合に、均一な照明下での作業性と同等の作業性を確保することができる状態になる照度比Ｔ／Ａである。そして、照度比Ｔ／Ａが危険側Ｔ／Ａ又は作業性確保Ｔ／Ａのいずれか小さい値以下となるように周囲照度Ｌａの目標値を算出することにより、作業者に不安感や不快感を与えることなく、かつ作業者の作業性を低下させることなく、周囲照度を下げる（照度比を大きくする）ことができ、最適な照度の確保と作業性の確保の両立を図りつつ省電力も図ることが可能となる。
【００５６】
図７は机上照度と許容される照度比Ｔ／Ａとの関係を示す説明図である。図中横軸は机上照度、すなわち作業面照度であり、縦軸は許容される照度比Ｔ／Ａであり、許容される割合が７０％を安全値（すなわち、７０％の作業者に許容される値）として表わしたものである。
【００５７】
図８は机上照度と許容される照度比Ｔ／Ａの数値例を示す説明図である。例えば、机上照度が３００ｌｘの場合、安全側Ｔ／Ａが１．７であり、安全側周囲照度が１７６ｌｘ、安全側タスクライト照度（タスク照明装置により得られる照度）が１２４ｌｘである。また、机上照度が３００ｌｘの場合、危険側Ｔ／Ａが４．３であり、危険側周囲照度が７０ｌｘ、危険側タスクライト照度が２３０ｌｘである。また、机上照度が３００ｌｘの場合、作業性確保Ｔ／Ａが６．０であり、作業性確保周囲照度が５０ｌｘ、作業性確保タスクライト照度が２５０ｌｘである。標準Ｔ／Ａは、安全側と危険側との平均である。
【００５８】
図７又は図８の例から、第１上限値としての危険側Ｔ／Ａは、机上照度（照射面照度）が３００ｌｘから７５０ｌｘの範囲において、４．３〜９．０の範囲で推移する。また、第２上限値としての作業性確保Ｔ／Ａは、机上照度（照射面照度）が３００ｌｘから７５０ｌｘの範囲において、６．０〜９．０の範囲で推移する。特に、机上照度（照射面照度）が約３８０ｌｘから６６０ｌｘの範囲においては作業性確保Ｔ／Ａが危険側Ｔ／Ａを下回る。また、第３上限値としての安全側Ｔ／Ａは、机上照度（照射面照度）が３００ｌｘから７５０ｌｘの範囲において、１．７〜２．８の範囲で推移する。また、標準Ｔ／Ａは、机上照度（照射面照度）が３００ｌｘから７５０ｌｘの範囲において、３．６〜７．０の範囲で推移する。
【００５９】
従って、例えば、標準Ｔ／Ａを照度比Ｔ／Ａの上限値（所定値）として採用する場合には、机上照度（照射面の照度）が３００ｌｘから７５０ｌｘの範囲において、照度比が３．６から７．０の範囲以下となるように周囲照度の目標値を算出することができる。なお、安全側Ｔ／Ａ、危険側Ｔ／Ａ、作業性確保Ｔ／Ａについても同様である。
【００６０】
なお、制御用マイコン２２において、図７に示すような机上照度に対する許容されるＴ／Ａを演算により算出してもよく、あるいは、机上照度に対応させて許容されるＴ／Ａをメモリ等の記憶媒体に記憶する構成でもよい。すなわち、作業者が任意に設定した机上照度に応じて制御用マイコン２２で許容されるＴ／Ａを算出する。これにより、作業者が所要の照度を設定した場合でも照度比Ｔ／Ａの許容限度値を算出することができ、作業面の照度に関わらず、作業者に不安感や不快感を与えることがない最適な照度を実現することができる。
【００６１】
次に本発明に係るタスク照明装置１００の動作について説明する。図９は調光自動制御の処理手順の一例を示すフローチャートである。制御用マイコン２２は、照度センサ４３により周囲照度Ｌａを測定し（Ｓ１１）、設定机上照度Ｌｄを読込む（Ｓ１２）。なお、設定机上照度Ｌｄは、作業者が操作ＳＷ４２で所要の照度に設定することができる。
【００６２】
制御用マイコン２２は、測定した周囲照度Ｌａと設定机上照度Ｌｄとに基づいて、照度比Ｔ／Ａの目標値である最適出力照度を算出する（Ｓ１３）。最適出力照度は、例えば、安全側周囲照度、安全側タスクライト照度、危険側周囲照度、危険側タスクライト照度などである。なお、最適出力照度の算出処理の詳細は後述する。
【００６３】
制御用マイコン２２は、周囲照度Ｌａが安全側周囲照度より大きいか否かを判定し（Ｓ１４）、周囲照度Ｌａが安全側周囲照度より大きい場合（Ｓ１４でＹＥＳ）、周囲照度Ｌａが安全側周囲照度になるように調光用信号をアンビエント照明装置２００へ出力し、同時にタスクライト照度Ｌｔが安全側タスクライト照度になるようにＬＥＤモジュール３１の光量を調整する（Ｓ１５）。この状態で、タスク照明装置１００は点灯する。
【００６４】
制御用マイコン２２は、タスク照明装置１００が点灯した後、所定の時間Ｔ１が経過したか否かを判定し（Ｓ１６）、時間Ｔ１が経過していない場合（Ｓ１６でＮＯ）、ステップＳ１６の処理を続ける。これにより、タスク照明装置１００を点灯させた後の照明環境を一定状態にし、作業者が照明環境に慣れることができる。
【００６５】
時間Ｔ１が経過した場合（Ｓ１６でＹＥＳ）、制御用マイコン２２は、周囲照度ＬａをΔＬ１だけ下げるとともに、タスクライト照度ＬｔをΔＬ１だけ上げる（Ｓ１７）。これにより、周囲照度Ｌａを徐々に下げつつ机上面の照度を一定にする。時間Ｔ１及びΔＬ１の設定は、適宜決定することができるが、例えば、１分当たり１０ｌｘ程度の割合とすることができる。これにより、作業者に認識されることなく徐々に照明環境を危険側Ｔ／Ａに向かって変えることができる。また、ΔＬ１の設定を、例えば、１秒当たり１ｌｘのように速い割合とすることもできる。この場合には、作業者にあえて最適な照度への調整が行われていることを認知させることができる。
【００６６】
制御用マイコン２２は、周囲照度Ｌａが危険側周囲照度に達し、タスクライト照度Ｌｔが危険側タスクライト照度に達したか否かを判定し（Ｓ１８）、達していない場合（Ｓ１８でＮＯ）、ステップＳ１６以降の処理を続け、周囲照度Ｌａが危険側周囲照度に達し、タスクライト照度Ｌｔが危険側タスクライト照度に達した場合（Ｓ１８でＹＥＳ）、処理を終了する。
【００６７】
周囲照度Ｌａが安全側周囲照度より大きくない場合（Ｓ１４でＮＯ）、制御用マイコン２２は、周囲照度Ｌａが危険側周囲照度より大きいか否かを判定し（Ｓ１９）、周囲照度Ｌａが危険側周囲照度より大きい場合（Ｓ１９でＹＥＳ）、タスクライト照度Ｌｔを、設定机上照度Ｌｄから周囲照度Ｌａを減算した値にして（Ｓ２０）、ステップＳ１６以降の処理を続ける。この場合は、アンビエント照明装置２００の調光状態はそのままにして周囲照度Ｌａを変えずに、タスクライト照度Ｌｔを上記の値に設定してタスク照明装置１００を点灯する。
【００６８】
周囲照度Ｌａが危険側周囲照度より大きくない場合（Ｓ１９でＮＯ）、制御用マイコン２２は、周囲照度Ｌａが危険側周囲照度になるように調光用信号をアンビエント照明装置２００へ出力し、同時にタスクライト照度Ｌｔが危険側タスクライト照度になるようにＬＥＤモジュール３１の光量を調整する（Ｓ２１）。この状態で、タスク照明装置１００は点灯する。制御用マイコン２２は処理を終了する。
【００６９】
これにより、作業者に不安感や不快感を与えることなく周囲照度を下げる（照度比を大きくする）ことができ、最適な照度を確保しつつ省電力を図ることが可能となる。
【００７０】
図１０は最適出力照度算出の処理手順を示すフローチャートである。制御用マイコン２２は、設定机上照度Ｌｄに対応する安全側Ｔ／Ａを算出する（Ｓ１３１）。制御用マイコン２２は、安全側周囲照度、安全側タスクライト照度を算出する（Ｓ１３２）。この場合、安全側周囲照度は、設定机上照度を安全側Ｔ／Ａで除算して求めることができ、安全側タスクライト照度は、設定机上照度から安全側周囲照度を減算して求めることができる。
【００７１】
制御用マイコン２２は、設定机上照度Ｌｄに対応する危険側Ｔ／Ａを算出し（Ｓ１３３）、作業性確保Ｔ／Ａを算出する（Ｓ１３４）。制御用マイコン２２は、危険側Ｔ／Ａが作業性確保Ｔ／Ａより大きいか否かを判定し（Ｓ１３５）、危険側Ｔ／Ａが作業性確保Ｔ／Ａより大きい場合（Ｓ１３５でＹＥＳ）、小さい値の方である作業性確保Ｔ／Ａを用いて危険側周囲照度、危険側タスクライト照度を算出して（Ｓ１３６）、処理を終了する。この場合、危険側周囲照度は、設定机上照度を作業性確保Ｔ／Ａで除算して求めることができ、危険側タスクライト照度は、設定机上照度から危険側周囲照度を減算して求めることができる。
【００７２】
危険側Ｔ／Ａが作業性確保Ｔ／Ａより大きくない場合（Ｓ１３５でＮＯ）、制御用マイコン２２は、小さい値の方である危険側Ｔ／Ａを用いて危険側周囲照度、危険側タスクライト照度を算出して（Ｓ１３７）、処理を終了する。この場合、危険側周囲照度は、設定机上照度を危険側Ｔ／Ａで除算して求めることができ、危険側タスクライト照度は、設定机上照度から危険側周囲照度を減算して求めることができる。
【００７３】
図１１は調光自動制御の様子を示すタイムチャートである。図１１は図９の処理に対応するものであり、横軸は時間を示し、縦軸は周囲照度Ｌａを示す。図中Ａは、タスク照明装置１００を点灯させる際の周囲照度Ｌａが安全側周囲照度より大きい場合を示す。また、図中Ｂはタスク照明装置１００を点灯させる際の周囲照度Ｌａが安全側周囲照度より小さく危険側周囲照度より大きい場合を示す。また、図中Ｃはタスク照明装置１００を点灯させる際の周囲照度Ｌａが危険側周囲照度より小さい場合を示す。
【００７４】
図中Ａで示すように、タスク照明装置１００を点灯させるときに、周囲照度Ｌａが安全側周囲照度よりも大きい場合には、タスク照明装置１００を点灯させるときに周囲照度が安全周囲照度になるようにアンビエント照明装置２００を調光する。これにより、作業面の照度がアンビエント照明装置２００により確保されている状態でタスク照明装置１００を点灯させる場合、点灯初期状態において作業者に不安感や不快感を与えることがない最適な照度を確保することができる。また、周囲照度を安全側周囲照度まで下げるので、それ以降の危険側周囲照度に至るまでの時間の短縮と、省電力化を図ることができる。
【００７５】
図中Ｂで示すように、タスク照明装置１００を点灯させるときに、周囲照度Ｌａが安全側周囲照度よりも小さく、危険側周囲照度よりも大きい場合には、タスク照明装置１００を点灯させるときに周囲照度Ｌａを変更しない。なお、周囲照度Ｌａが危険側周囲照度よりも安全側周囲照度に近い場合には、周囲照度Ｌａを変更せず、周囲照度Ｌａが安全側周囲照度よりも危険側周囲照度に近い場合には、周囲照度Ｌａを一旦安全側周囲照度に変更してもよい。これにより、点灯初期状態において作業者に不安感や不快感を与えることがない照度をある程度確保することができる。
【００７６】
図中Ｃで示すように、タスク照明装置１００を点灯させるときに、周囲照度Ｌａが危険側周囲照度よりも小さい場合には、タスク照明装置１００を点灯させるときに周囲照度Ｌａを危険側周囲照度になるようにアンビエント照明装置２００を調光する。
【００７７】
図中Ａ、Ｂの場合には、タスク照明装置１００の電源投入から所定の時間Ｔ１が経過したときに、周囲照度Ｌａを徐々に下げて危険側周囲照度になるようにアンビエント照明装置２００を調光する。また、図中Ｃの場合には、周囲照度Ｌａが危険側周囲照度で維持される。なお、図中Ａ〜Ｃのいずれの場合にも、周囲照度Ｌａの変化に合わせて設定机上照度Ｌｄが一定になるようにタスクライト照度Ｌｔを調整する。
【００７８】
図１２は調光時の照度の推移の一例を示すタイムチャートである。図１２は図９の処理に対応するものである。図１２において、横軸は時間を示し、縦軸は照度を示す。図１２において設定机上照度は３００ｌｘである。時刻ｔ０においてタスク照明装置１００の電源が投入され点灯したとする。周囲照度Ｌａは点灯前の２００ｌｘから安全側周囲照度である１７６ｌｘに調光され、同時にタスクライト照度を安全側タスクライト照度である１２４ｌｘにしてタスク照明装置１００は点灯する。
【００７９】
時刻ｔ１において、周囲照度Ｌａが徐々に小さくなるように調光され、同時に設定机上照度Ｌｄ（３００ｌｘ）を維持しつつタスクライト照度Ｌｔが徐々に大きくなる。そして、時刻ｔ２において、周囲照度Ｌａは危険側周囲照度になり。タスクライト照度Ｌｔは危険側タスクライト照度になる。時刻ｔ２以降は、その状態を維持する。周囲照度Ｌａが危険側周囲照度まで下げられるので省電力化を図ることができる。
【００８０】
図１３及び図１４は調光自動制御の処理手順の他の例を示すフローチャートである。制御用マイコン２２は、照度センサ４３により周囲照度Ｌａを測定し（Ｓ３１）、設定机上照度Ｌｄを読込む（Ｓ３２）。なお、設定机上照度Ｌｄは、作業者が操作ＳＷ４２で所要の照度に設定することができる。
【００８１】
制御用マイコン２２は、測定した周囲照度Ｌａと設定机上照度Ｌｄとに基づいて、照度比Ｔ／Ａの目標値である最適出力照度を算出する（Ｓ３３）。最適出力照度の算出は図１０の例と同様である。
【００８２】
制御用マイコン２２は、周囲照度Ｌａが設定机上照度Ｌｄより大きいか否かを判定し（Ｓ３４）、周囲照度Ｌａが設定机上照度Ｌｄより大きい場合（Ｓ３４でＹＥＳ）、タスクライト照度Ｌｔを最低出力照度にする（Ｓ３５）。この状態でタスク照明装置１００を点灯する。
【００８３】
周囲照度Ｌａが設定机上照度Ｌｄより大きくない場合（Ｓ３４でＮＯ）、制御用マイコン２２は、周囲照度Ｌａが安全側周囲照度より大きいか否かを判定し（Ｓ３６）、周囲照度Ｌａが安全側周囲照度より大きい場合（Ｓ３６でＹＥＳ）、タスクライト照度Ｌｔを、設定机上照度Ｌｄから周囲照度Ｌａを減算した値にする（Ｓ３７）。この状態でタスク照明装置１００を点灯する。
【００８４】
制御用マイコン２２は、タスク照明装置１００が点灯した後、所定の時間Ｔ２経過したか否かを判定し（Ｓ３８）、時間Ｔ２が経過していない場合（Ｓ３８でＮＯ）、ステップＳ３８の処理を続ける。
【００８５】
時間Ｔ２が経過した場合（Ｓ３８でＹＥＳ）、制御用マイコン２２は、周囲照度ＬａをΔＬ２だけ下げるとともに、タスクライト照度ＬｔをΔＬ２だけ上げる（Ｓ３９）。これにより、周囲照度Ｌａを徐々に下げつつ机上面の照度を一定にする。時間Ｔ２及びΔＬ２の設定は、適宜決定することができる。
【００８６】
制御用マイコン２２は、周囲照度Ｌａが安全側周囲照度に達し、タスクライト照度Ｌｔが安全側タスクライト照度に達したか否かを判定し（Ｓ４０）、達していない場合（Ｓ４０でＮＯ）、ステップＳ３８以降の処理を続け、周囲照度Ｌａが安全側周囲照度に達し、タスクライト照度Ｌｔが安全側タスクライト照度に達した場合（Ｓ４０でＹＥＳ）、所定の時間Ｔ３経過したか否かを判定する（Ｓ４１）。
【００８７】
時間Ｔ３が経過していない場合（Ｓ４１でＮＯ）、制御用マイコン２２は、ステップＳ４１の処理を続ける。時間Ｔ３が経過した場合（Ｓ４１でＹＥＳ）、制御用マイコン２２は、周囲照度ＬａをΔＬ３だけ下げるとともに、タスクライト照度ＬｔをΔＬ３だけ上げる（Ｓ４２）。これにより、周囲照度Ｌａを徐々に下げつつ机上面の照度を一定にする。時間Ｔ３及びΔＬ３の設定は、適宜決定することができる。
【００８８】
制御用マイコン２２は、周囲照度Ｌａが危険側周囲照度に達し、タスクライト照度Ｌｔが危険側タスクライト照度に達したか否かを判定し（Ｓ４３）、達していない場合（Ｓ４３でＮＯ）、ステップＳ４１以降の処理を続け、周囲照度Ｌａが危険側周囲照度に達し、タスクライト照度Ｌｔが危険側タスクライト照度に達した場合（Ｓ４３でＹＥＳ）、処理を終了する。
【００８９】
周囲照度Ｌａが安全側周囲照度より大きくない場合（Ｓ３６でＮＯ）、制御用マイコン２２は、周囲照度Ｌａが危険側周囲照度より大きいか否かを判定し（Ｓ４４）、周囲照度Ｌａが危険側周囲照度より大きい場合（Ｓ４４でＹＥＳ）、タスクライト照度Ｌｔを、設定机上照度Ｌｄから周囲照度Ｌａを減算した値にして（Ｓ４５）、ステップＳ４１以降の処理を続ける。この場合は、アンビエント照明装置２００の調光状態はそのままにして周囲照度Ｌａを変えずに、タスクライト照度Ｌｔを上記の値に設定してタスク照明装置１００を点灯する。
【００９０】
周囲照度Ｌａが危険側周囲照度より大きくない場合（Ｓ４４でＮＯ）、制御用マイコン２２は、周囲照度Ｌａが危険側周囲照度になるように調光用信号をアンビエント照明装置２００へ出力し、同時にタスクライト照度Ｌｔが危険側タスクライト照度になるようにＬＥＤモジュール３１の光量を調整する（Ｓ４６）。この状態で、タスク照明装置１００は点灯する。制御用マイコン２２は処理を終了する。
【００９１】
図１５は調光時の照度の推移の他の例を示すタイムチャートである。図１５は図１３、図１４の処理に対応するものである。図１５において、横軸は時間を示し、縦軸は照度を示す。図１５において設定机上照度は３００ｌｘである。時刻ｔ３においてタスク照明装置１００の電源が投入され点灯したとする。周囲照度Ｌａは時刻ｔ３から時刻ｔ４までの間で点灯前の２００ｌｘから安全側周囲照度である１７６ｌｘに徐々に調光され、同時にタスクライト照度を点灯時の１００ｌｘから安全側タスクライト照度である１２４ｌｘに徐々に調光する。
【００９２】
時刻ｔ４から時刻ｔ５までの間において、周囲照度Ｌａが徐々に小さくなるように調光され、同時に設定机上照度Ｌｄ（３００ｌｘ）を維持しつつタスクライト照度Ｌｔが徐々に大きくなる。そして、時刻ｔ５において、周囲照度Ｌａは危険側周囲照度になり、タスクライト照度Ｌｔは危険側タスクライト照度になる。時刻ｔ５以降は、その状態を維持する。周囲照度Ｌａが危険側周囲照度まで下げられるので省電力化を図ることができる。
【００９３】
図１６はタスクライト照度を変更した場合の調光の一例を示す説明図である。図１６において、横軸は机上照度であり、縦軸は出力照度である。当初の机上照度が３００ｌｘであり、これを７５０ｌｘに変更する場合について説明する。図１６中矢印Ｐ１で示すように、作業者がタスクライト照度を変更した場合、設定操作が完了するまでの間は、まずタスクライト照明装置１００の出力照度をリアルタイムに変更し、アンビエント照明装置２００の出力照度はリアルタイムに変更しない。
【００９４】
作業者がタスクライト照度を確定した時点で、机上照度を算出し（図中Ｐ２）、最適な照度比Ｔ／Ａに向かってタスクライト照明装置１００及びアンビエント照明装置２００の出力照度を調整して自動調光を行う（図中矢印Ｐ３）。図の例では、タスクライト照度を大きく上げたことにより照度比Ｔ／Ａが高くなりすぎているので、危険側Ｔ／Ａまで照度比Ｔ／Ａを下げることにより最適な照度比Ｔ／Ａを実現している。
【００９５】
図１７及び図１８はタスクライト照度を変更した場合の調光自動制御の処理手順の一例を示すフローチャートである。制御用マイコン２２は、タスクライト照度の変更の有無を判定し（Ｓ５１）、変更がある場合（Ｓ５１でＹＥＳ）、照度センサ４３により周囲照度Ｌａを測定し（Ｓ５２）、机上照度Ｌｄを算出する（Ｓ５３）。タスクライト照度の変更がない場合（Ｓ５１でＮＯ）、制御用マイコン２２は、処理を終了する。
【００９６】
制御用マイコン２２は、測定した周囲照度Ｌａと算出した机上照度Ｌｄとに基づいて、照度比Ｔ／Ａの目標値である最適出力照度を算出する（Ｓ５４）。最適出力照度の算出は、図１０の例と同様である。
【００９７】
制御用マイコン２２は、周囲照度Ｌａが安全側周囲照度より大きいか否かを判定し（Ｓ５５）、周囲照度Ｌａが安全側周囲照度より大きい場合（Ｓ５５でＹＥＳ）、所定の時間Ｔ４経過したか否かを判定し（Ｓ５６）、時間Ｔ４が経過していない場合（Ｓ５６でＮＯ）、ステップＳ５６の処理を続ける。
【００９８】
時間Ｔ４が経過した場合（Ｓ５６でＹＥＳ）、制御用マイコン２２は、周囲照度ＬａをΔＬ４だけ変化させるとともに、タスクライト照度ＬｔをΔＬ４だけ変化させる（Ｓ５７）。これにより、周囲照度Ｌａ及びタスクライト照度Ｌｔを徐々に変化させる。なお、時間Ｔ４、ΔＬ４の設定は、適宜決定することができる。
【００９９】
制御用マイコン２２は、周囲照度Ｌａが安全側周囲照度に達し、タスクライト照度Ｌｔが安全側タスクライト照度に達したか否かを判定し（Ｓ５８）、達していない場合（Ｓ５８でＮＯ）、ステップＳ５６以降の処理を続け、周囲照度Ｌａが安全側周囲照度に達し、タスクライト照度Ｌｔが安全側タスクライト照度に達した場合（Ｓ５８でＹＥＳ）、後述のステップS５９の処理を行う。
【０１００】
周囲照度Ｌａが安全側周囲照度より大きくない場合（Ｓ５５でＮＯ）、制御用マイコン２２は、周囲照度Ｌａが危険側周囲照度より大きいか否かを判定し（Ｓ６２）、周囲照度Ｌａが危険側周囲照度より大きい場合（Ｓ６２でＹＥＳ）、時間Ｔ５が経過したか否かを判定し（Ｓ５９）、時間Ｔ５が経過していない場合（Ｓ５９でＮＯ）、ステップＳ５９の処理を続ける。
【０１０１】
時間Ｔ５が経過した場合（Ｓ５９でＹＥＳ）、制御用マイコン２２は、周囲照度ＬａをΔＬ５だけ変化させるとともに、タスクライト照度ＬｔをΔＬ５だけ変化させる（Ｓ６０）。これにより、周囲照度Ｌａ及びタスクライト照度Ｌｔを徐々に変化させる。なお、時間Ｔ５、ΔＬ５の設定は、適宜決定することができる。
【０１０２】
制御用マイコン２２は、周囲照度Ｌａが危険側周囲照度に達し、タスクライト照度Ｌｔが危険側タスクライト照度に達したか否かを判定し（Ｓ６１）、達していない場合（Ｓ６１でＮＯ）、ステップＳ５９以降の処理を続け、周囲照度Ｌａが危険側周囲照度に達し、タスクライト照度Ｌｔが危険側タスクライト照度に達した場合（Ｓ６１でＹＥＳ）、処理を終了する。
【０１０３】
周囲照度Ｌａが危険側周囲照度より大きくない場合（Ｓ６２でＮＯ）、制御用マイコン２２は、時間Ｔ６が経過したか否かを判定し（Ｓ６３）、時間Ｔ６が経過していない場合（Ｓ６３でＮＯ）、ステップＳ６３の処理を続ける。
【０１０４】
時間Ｔ６が経過した場合（Ｓ６３でＹＥＳ）、制御用マイコン２２は、周囲照度ＬａをΔＬ６だけ上げるとともに、タスクライト照度ＬｔをΔＬ６だけ下げる（Ｓ６４）。これにより、周囲照度Ｌａ及びタスクライト照度Ｌｔを徐々に変化させる。なお、時間Ｔ６、ΔＬ６の設定は、適宜決定することができる。
【０１０５】
制御用マイコン２２は、周囲照度Ｌａが危険側周囲照度に達し、タスクライト照度Ｌｔが危険側タスクライト照度に達したか否かを判定し（Ｓ６５）、達していない場合（Ｓ６５でＮＯ）、ステップＳ６３以降の処理を続け、周囲照度Ｌａが危険側周囲照度に達し、タスクライト照度Ｌｔが危険側タスクライト照度に達した場合（Ｓ６５でＹＥＳ）、処理を終了する。
【０１０６】
図１９はタスクライト照度を変更した場合の照度の推移の例を示すタイムチャートである。図１９は図１７、図１８の処理に対応するものである。図１９において、横軸は時間を示し、縦軸は照度を示す。図１９において時刻ｔ６〜ｔ９は図１２の例と同様である。時刻ｔ９においてタスクライト照度が変更された結果、算出した机上照度が３００ｌｘから７５０ｌｘに変更されたものとする。時刻ｔ９から時刻ｔ１０までの間は、机上照度Ｌｄを７５０ｌｘに維持した状態で、周囲照度Ｌａが徐々に危険側周囲照度になるように調光され、タスクライト照度Ｌｔは、徐々に危険側タスクライト照度になるように調光されている。
【０１０７】
また、時刻ｔ１１においてタスクライト照度が変更された結果、算出した机上照度が７５０ｌｘから５００ｌｘに変更されたものとする。時刻ｔ１１から時刻ｔ１２までの間は、机上照度Ｌｄを５００ｌｘに維持した状態で、周囲照度Ｌａが徐々に危険側周囲照度になるように調光され、タスクライト照度Ｌｔは、徐々に危険側タスクライト照度になるように調光されている。
【０１０８】
このように、タスクライト照度が変更された場合、机上照度を算出し対応する許容限度値になるように調光する。例えば、周囲照度Ｌａを危険側周囲照度に、タスクライト照度Ｌｔを危険側タスクライト照度になるように調光するので、作業者が所要の照度を設定した場合でも許容限度値を算出することができ、作業面の照度に関わらず、作業者に不安感や不快感を与えることがない最適な照度を実現することができる。
【０１０９】
以上説明したように、本発明によれば、照度比Ｔ／Ａが許容限度値以下となる周囲照度になるようにアンビエント照明装置に対して調光用信号を出力するので、作業者に不安感や不快感を与えることがない最適な照度を実現することができる。
【０１１０】
上述の実施の形態では、タスク照明装置１００とアンビエント照明装置２００とを用いて、照度比Ｔ／Ａが許容限度値以下となるように自動制御する構成であったが、本発明による効果は、照度比Ｔ／Ａが許容限度値以下となるように手動による制御で実現することができる。
【０１１１】
具体的には、例えば、タスク照明装置の適当な箇所にＬＥＤインジケータなどの表示部を設け、該表示部に算出した周囲照度の目標値を表示させる。作業者や使用者は、表示部に表示された目標照度を確認することで、手動制御によりアンビエント照明装置２００を調光することができる。すなわち、この場合には、タスク照明装置から自動制御で調光信号がアンビエント照明装置へ出力されるのではなく、作業者や使用者が手動でアンビエント照明装置の調光を行うように促す。これにより、タスク照明装置とアンビエント照明装置との間の通信機能が不要となり、簡便な構成で同様の効果を得ることができる。
【０１１２】
なお、表示部に表示する内容は、例えば、周囲照度の目標値を照度や調光率を用いて数値で表示してもよく、あるいは、「周囲照度が明るすぎるので、もう少し暗くしても大丈夫です。」や「周囲が暗すぎるので、もう少し明るくしたほうがよいです。」といった文字情報や音声情報でもよい。また、例えば、表示部として赤色ＬＥＤ及び青色ＬＥＤを設け、周囲照度と目標値に応じて、赤色ＬＥＤや青色ＬＥＤを光らせるだけでもよい。具体的には、周囲照度が目標値よりも低い場合に赤色ＬＥＤを点灯させ、周囲照度が目標値よりも高い場合に青色ＬＥＤを点灯させることにより、赤色ＬＥＤ及び青色ＬＥＤの点灯のみで「（周囲が）暗すぎる」と「（周囲が）明るすぎる」と作業者に報知することも可能である。
【０１１３】
上述の実施の形態では、光源としてＬＥＤモジュールを用いる構成について説明したが、本発明は、ＬＥＤモジュールに限定されるものではなく、有機ＥＬ、蛍光灯や白熱灯など他の光源を用いる場合にも適用することができる。
【０１１４】
上述の実施の形態において、机上照度は予め定められた値を用いることもでき、あるいは、作業者が任意の値に設定するようにしてもよい。また、自動調光の入り切りスイッチを設けておき、自動で調光するか手動で調光するかを選択することができるように構成してもよい。
【０１１５】
上述の実施の形態では、最終の照度比Ｔ／Ａを危険側Ｔ／Ａとしているが、これに限定されるものではなく、標準Ｔ／Ａを用いてもよい。
【０１１６】
上述の実施の形態では、照度比の許容限度値としてＴ／Ａを用いる構成であったが、許容限度値はこれに限定されるものではなく、Ｔ／Ａの逆数を用いてもよく、あるいは、タスクライト照度Ｌｔと周囲照度Ｌａとの比を用いてもよい。これらの場合には、当然に各値は異なるものとなる。
【符号の説明】
【０１１７】
１００  タスク照明装置
２０  制御部
２２  制御用マイコン（照度比算出部、目標照度算出部、許容限度値算出部）
２３  ＰＷＭ制御ＦＥＴスイッチ（光源制御部）
２６  信号送信回路
２７  信号出力部（出力部）
３０  照明部
３１  ＬＥＤモジュール（光源）
４０  インタフェース部
４１  赤外線発光部
４２  操作ＳＷ（設定部）
４３  照度センサ
２００  アンビエント照明装置 
【図１】
2010267594.tif 000003
【図２】
2010267594.tif 000004
【図３】
2010267594.tif 000005
【図４】
2010267594.tif 000006
【図５】
2010267594.tif 000007
【図６】
2010267594.tif 000008
【図７】
2010267594.tif 000009
【図８】
2010267594.tif 000010
【図９】
2010267594.tif 000011
【図１０】
2010267594.tif 000012
【図１１】
2010267594.tif 000013
【図１２】
2010267594.tif 000014
【図１３】
2010267594.tif 000015
【図１４】
2010267594.tif 000016
【図１５】
2010267594.tif 000017
【図１６】
2010267594.tif 000018
【図１７】
2010267594.tif 000019
【図１８】
2010267594.tif 000020
【図１９】
2010267594.tif 000021